(57)【要約】  本発明は、駐車移動動作を少なくして、より単純な移動動作で駐車支援が可能な駐車支援制御装置及び方法を提供することを目的とする。  本発明は、自車両の停車位置から目標駐車領域までの移動経路を記憶する記憶手段と、前記移動経路に基づき、前記停車位置から前記目標駐車領域に自車両を誘導する制御手段と、を備える駐車支援制御装置において、前記制御手段は、前記自車両の移動動作が必要な回数によって予め優先順位が設定された複数の移動経路を前記記憶手段から読み出し、さらに、前記制御手段は、前記優先順位の高い移動経路から順に駐車可能かを判断して、駐車可能な最も高い優先順位の移動経路にしたがって、前記自車両を前記目標駐車領域に誘導する。前記複数の移動経路の前記優先順位は、前記自車両の移動動作の数が少ないほど高い優先順位が設定される。
2010147020.tif 000002
【特許請求の範囲】
【請求項１】
自車両の停車位置から目標駐車領域までの移動経路を記憶する記憶手段と、前記移動経路に基づき、前記停車位置から前記目標駐車領域に自車両を誘導する制御手段と、を備える駐車支援制御装置において、
前記制御手段は、前記自車両の移動動作が必要な回数によって予め優先順位が設定された複数の移動経路を前記記憶手段から読み出し、
前記制御手段は、さらに前記優先順位の高い移動経路から順に駐車可能かを判断して、駐車可能な最も高い優先順位の移動経路にしたがって、前記自車両を前記目標駐車領域に誘導することを特徴とする駐車支援制御装置。
【請求項２】
請求項１に記載の駐車支援制御装置において、
前記複数の移動経路の前記優先順位は、前記自車両の移動動作の数が少ないほど高い優先順位が設定されることを特徴とする駐車支援制御装置。
【請求項３】
請求項１又は２に記載の駐車支援制御装置において、
前記複数の移動経路は、それぞれ前記自車両が旋回可能な最も小さい半径にしたがう移動を含むことを特徴とする駐車支援制御装置。
【請求項４】
請求項１乃至３の何れか一項に記載の駐車支援制御装置において、
最も優先順位が高い移動経路は、１回の後方移動で前記目標駐車領域に前記自車両が移動可能な経路であることを特徴とする駐車支援制御装置。
【請求項５】
請求項１乃至４の何れか一項に記載の駐車支援制御装置において、
前記複数の移動経路は、クロソイド曲線にしたがう移動を含むことを特徴とする駐車支援制御装置。
【請求項６】
自車両の停車位置から目標駐車領域までの移動経路を記憶する記憶手段と、前記移動経路に基づき、前記停車位置から前記目標駐車領域に自車両を誘導する制御手段と、を用いる駐車支援制御方法において、
前記自車両の移動動作が必要な回数にしたがって、予め優先順位が設定された複数の移動経路を前記記憶手段から読み出すステップと、
前記優先順位が高い移動経路から順に駐車可能かを前記制御手段が判断するステップと、
駐車可能な最も高い優先順位の移動経路にしたがって、前記制御手段が前記自車両を前記目標駐車領域に誘導するステップと、を備えることを特徴とする駐車支援制御方法。
【請求項７】
請求項６に記載の駐車支援制御方法において、
前記複数の移動経路の前記優先順位は、前記自車両の移動動作の数が少ないほど高い優先順位が設定されることを特徴とする駐車支援制御方法。
【請求項８】
請求項６又は７に記載の駐車支援制御方法において、
前記複数の移動経路は、それぞれ前記自車両が旋回可能な最も小さい半径にしたがう移動を含むことを特徴とする駐車支援制御方法。
【請求項９】
請求項６乃至８の何れか一項に記載の駐車支援制御方法において、
最も優先順位が高い移動経路は、１回の後方移動で前記目標駐車領域に前記自車両が移動可能な経路であることを特徴とする駐車支援制御方法。
【請求項１０】
請求項６乃至９の何れか一項に記載の駐車支援制御方法において、
前記複数の移動経路は、クロソイド曲線にしたがう移動を含むことを特徴とする駐車支援制御方法。
【発明の詳細な説明】
【技術分野】
【０００１】
本発明は、駐車支援制御装置及び方法に関し、より詳細には、駐車可能な状況に応じて駐車経路を変更することができる駐車支援制御装置及び方法に関するものである。
【背景技術】
【０００２】
近年、車両をバック駐車や縦列駐車する際に、ドライバーの駐車操作を支援する駐車支援装置が開発されている。駐車支援装置は、距離測定用センサによって、駐車領域を探索し、駐車可能で有ればドライバーにその旨を通知し、ステアリングの操作を装置の指示により行うか、又は自動でステアリングを操作して、駐車場所へ車両を誘導する。【０００３】
また、特許文献１に提案されている駐車支援装置は、目標駐車位置の広さや周囲の障害物の状況に応じて、予想移動軌跡が目標駐車位置と干渉する場合に、自車両の切り返し移動により前記干渉が回避可能か否かを判定し、干渉が回避可能な場合に切り返し移動を実行する。
【先行技術文献】
【特許文献】
【０００４】
【特許文献１】特開２００２−２４０６６２号公報
【発明の概要】
【発明が解決しようとする課題】
【０００５】
しかしながら、特許文献１に記載の駐車支援装置では、自車両の切り返し移動により前記干渉が回避可能な場合には、常に切り返し移動が選択されるため、最終的に駐車ができても、駐車に時間がかかり短時間で駐車することができない場合が生じる。さらに、特許文献１に記載の駐車支援装置では、切り返し移動が選択された場合に、改めてその位置でのステアリング操作が演算されるため、制御に時間がかかり複雑になる場合が生じる。【０００６】
そこで、本発明は、駐車移動動作を少なくして、より単純な移動動作で駐車支援が可能な駐車支援制御装置及び方法を提供することを目的とする。
【課題を解決するための手段】
【０００７】
上記課題を解決するために、本発明の駐車支援制御装置は、自車両の停車位置から目標駐車領域までの移動経路を記憶する記憶手段と、前記移動経路に基づき、前記停車位置から前記目標駐車領域に自車両を誘導する制御手段と、を備える駐車支援制御装置において、前記制御手段は、前記自車両の移動動作が必要な回数によって予め優先順位が設定された複数の移動経路を前記記憶手段から読み出し、前記制御手段は、さらに前記優先順位の高い移動経路から順に駐車可能かを判断して、駐車可能な最も高い優先順位の移動経路にしたがって、前記自車両を前記目標駐車領域に誘導する。【０００８】
前記駐車支援制御装置において、前記複数の移動経路の前記優先順位は、前記自車両の移動動作の数が少ないほど高い優先順位が設定される。前記駐車支援制御装置において、前記複数の移動経路は、それぞれ前記自車両が旋回可能な最も小さい半径にしたがう移動を含む。前記駐車支援制御装置において、最も優先順位が高い移動経路は、１回の後方移動で前記目標駐車領域に前記自車両が移動可能な経路である。前記駐車支援制御装置において、前記複数の移動経路は、クロソイド曲線にしたがう移動を含む。【０００９】
さらに、上記課題を解決するために、本発明の駐車支援制御方法は、自車両の停車位置から目標駐車領域までの移動経路を記憶する記憶手段と、前記移動経路に基づき、前記停車位置から前記目標駐車領域に自車両を誘導する制御手段と、を用いる駐車支援制御方法において、前記自車両の移動動作が必要な回数にしたがって、予め優先順位が設定された複数の移動経路を前記記憶手段から読み出すステップと、前記優先順位が高い移動経路から順に駐車可能かを前記制御手段が判断するステップと、駐車可能な最も高い優先順位の移動経路にしたがって、前記制御手段が前記自車両を前記目標駐車領域に誘導するステップと、を備える。【００１０】
前記駐車支援制御方法において、前記複数の移動経路の前記優先順位は、前記自車両の移動動作の数が少ないほど高い優先順位が設定される。前記駐車支援制御方法において、前記複数の移動経路は、それぞれ前記自車両が旋回可能な最も小さい半径にしたがう移動を含む。前記駐車支援制御方法において、最も優先順位が高い移動経路は、１回の後方移動で前記目標駐車領域に前記自車両が移動可能な経路である。前記駐車支援制御方法において、前記複数の移動経路は、クロソイド曲線にしたがう移動を含む。
【発明の効果】
【００１１】
本発明の駐車支援制御装置や方法によれば、駐車に際して移動動作を少なくして、より単純な移動動作で駐車支援ができるため、短時間に駐車を行うことが可能となる。
【図面の簡単な説明】
【００１２】
【図１】本発明の実施形態の駐車支援制御装置を搭載した車両の模式図である。
【図２】図１の駐車支援制御装置のブロック図である。
【図３】自車両がバック駐車する場合の基本移動動作の一例を示す概念図である。
【図４】本発明の実施形態の駐車支援制御装置のフローチャートである。
【発明を実施するための形態】
【００１３】
本発明の駐車支援制御装置及び方法は、迅速な駐車操舵を可能にする経路を設定するだけでなく、任意の開始位置でドライバーが駐車手順を開始することを可能にするものである。なお、本発明の実施形態に係る駐車支援制御装置及び方法は、ステアリングを自動制御するパーク・ステアリング・コントロール（ＰＳＣ）モードか、又は、視覚又は音声情報を用いてドライバーを案内するパーク・ステアリング・インフォメーション（ＰＳＩ）モードにより、ドライバーが駐車場に運転することを支援する。
【００１４】
以下、本発明の駐車支援制御装置及び方法に係る実施形態を、図面を参照しつつ説明する。図１は、本発明の実施形態の駐車支援制御装置を搭載した車両の模式図であり、図２は、当該駐車支援制御装置のブロック図である。
【００１５】
図１に示すように、自車両１０には、その前側（図１の右側）に、４つの駐車アシスト用センサ１が配置してあり、その後側（図１の左側）に、４つの駐車アシスト用センサ１が配置してある。また、自車両１０の両側面前方には、一対の駐車領域測定用センサ２が配置してある。
【００１６】
これらの駐車アシスト用センサ１及び駐車領域測定用センサ２は、超音波を発射してその反射波を検出し、障害物の有無、及び障害物までの距離を検出する超音波センサである。駐車アシスト用センサ１及び駐車領域測定用センサ２は、超音波センサを用いているが、これに限らず、例えば、ミリ波センサ又はマイクロ波センサ等のレーダセンサ、ＣＣＤ素子、ビデオカメラ、他の任意のセンサを用いてもよい。
【００１７】
上述のように、本実施形態の駐車支援制御装置の機能は、駐車アシスト用センサ１及び駐車領域測定用センサ２により、目標駐車領域１４及び自車両１０の現在の停止位置に関する情報をそれぞれ入手し、目標駐車領域１４に到達するための経路を設定する。任意選択であるが、障害物や超過して運転できない領域に関する情報を入手してもよい。
【００１８】
さらに、ドライバーによるステアリングの操舵量を検出するために、ステアリング角度センサ３（図２）が自車両１０に設置される。また、車輪速センサ（不図示）が自車両１０に設置され、車輪の回転量を検出することにより、自車両１０の移動量を検出する。また、ヨーレートセンサ（不図示）が自車両に設置され、自車両１０の向き（進行方向）を検出する。
【００１９】
図２に示すように、制御手段である電子制御ユニット（ＥＣＵ）５には、駐車アシスト用センサ１、駐車領域測定用センサ２、ステアリング角度センサ３、からの検出データがそれぞれ入力する。また、ＥＣＵ５には、位置特定用スイッチ４ａ、情報提供スイッチ４ｂ、モード選択スイッチ４ｃからの操作信号もそれぞれ入力する。ＥＣＵ５は、例えば、演算処理、制御処理等を行うＣＰＵ、制御プログラム等が格納される記憶手段であるＲＯＭ、データを一時的に記憶するＲＡＭ等から構成してある。
【００２０】
ＥＣＵ５は、目標駐車領域１４へ自車両１０を案内する車両操作指示情報（ステアリングホイールの操舵角度、車速、ブレーキのオン／オフ、シフトレバー操作（リバース位置Ｒ、ドライブ位置Ｄ等））が設定されて、電動パワーステアリング（ＥＰＳ）９の動作を制御する。
【００２１】
図３は、自車両１０がバック駐車する場合の基本移動動作の一例を示す概念図である。図３において、自車両１０が駐車される目標駐車領域は、符号１４で示され、駐車の際に自車両１０の切り返し等が行われる駐車余裕領域は、駐車領域１４の前方に符号１６で示されている。図３において、自車両は、図中左から右に移動して駐車余裕領域１６の停止位置１０ａで停止している。次に、自車両は、位置１０ａから、図中右上に向かって前方旋回移動して、位置１０ｂで停止する。さらに、自車両は、位置１０ｂから後述のＳＰＲにしたがって後方旋回移動し位置１０ｃを通り、最後に後方直線移動して目標駐車領域１４内の位置１０ｄで停止して駐車完了となる。なお、目標駐車領域１４は以下に説明するように検出されて制御に用いられる。
【００２２】
本実施形態の前提となる目標駐車領域１４の検出処理の一例を説明する。自車両の前側方に設けられた駐車領域測定用センサ２（図１）は、図３において、目標駐車領域１４の左側に位置する第１のコーナー部Ｃ１（他車両のコーナー部等）を検出し、さらに、予め設定されている駐車スペース１４の幅が存在する場合に、駐車スペース１４を挟んで右側に位置する第２のコーナー部（仮想コーナー部）Ｃ２を設定する。さらに、駐車領域測定用センサ２は、標準的な目標駐車領域１４の奥行き（例えば５ｍ程度）の範囲に障害物がないことを確認して、目標駐車領域１４の奥行きを標準的な値として検出する。なお、コーナー部Ｃ１及びＣ２の設定は、駐車領域測定用センサ２を用いてコーナー部Ｃ１を検出し、ドライバーからの入力によりコーナー部Ｃ２を設定するように構成しても良い。例えば、運転席近傍の計器盤（インストゥルメントパネル）に位置特定用スイッチ４ａを設け、この位置特定用スイッチ４ａが操作されると、コーナ位置検出信号がＥＣＵ５に送信される。コーナ位置の入力は、例えば、車両のドアミラーがコーナー部Ｃ２に一致したタイミングで、ドライバーが位置特定用スイッチ４ａを操作する。そして、コーナ位置検出信号をＥＣＵ５が受信してコーナー部Ｃ２の位置が検出される。この場合、ドアミラーがコーナー部Ｃ２に到達した時点でコーナー部Ｃ１及びＣ２の検出が完了するため、駐車スペースを通り過ぎる前に車両を停止させて駐車支援処理を開始することができる。また、コーナー部Ｃ１及びＣ２の両方をドライバーからの入力により検出するように構成しても良い。この場合、駐車領域測定用センサ２によりコーナー部を検出する必要がなくなるので、駐車領域測定用センサ２による測定誤差の影響を受けない。
【００２３】
本実施形態に係る駐車支援制御装置において、ＰＳＣモードでは、ＥＣＵ５がＥＰＳ９の操作を行い、ドライバーはアクセル、ブレーキのみ制御する。ＰＳＩモードでは、ＥＣＵ５がディスプレイ６やスピーカ７等のヒューマン・マシン・インターフェイス（ＨＭＩ）を介して操作を指示する。ＨＭＩの指示したがって、ステアリング、アクセル、ブレーキの全てをドライバーが操作する。モード選択スイッチ４ｃにより、ＰＳＣモード又はＰＳＩモードを選択することができる。
【００２４】
従来の駐車支援システムは、自車両を目標駐車領域１４に案内するために、予め設定された一つの基本動作を用いており、結局は、その基本動作に対して、一つの目標駐車領域１４に移動するためにいくつかの修正動作が行われていた。したがって、良好な最終位置に到達されるものの、目標駐車領域には、他のより少ない移動動作回数で駐車可能な場合もある。ただし、並列駐車では、駐車区域で、発車方向であるような同じ方向に向いて各車両が駐車されていおり、自車両を並列駐車する場合には、１つの基本動作に限定しても、充分であるように思われる。
【００２５】
しかしながら、目標駐車領域１４へのバック駐車（交差駐車）では、駐車余裕領域１６内での自車両１０の前進方向に対して、目標駐車領域１４内に駐車される自車両１０が斜めか直角に向くことになる。このようなバック駐車の場合に、１回の後方旋回動作で規定する移動経路は、ある開始位置で不可能となることがある。
【００２６】
本発明の駐車支援制御装置及び方法の実施形態における制御を、図４のフローチャートを用いて説明する。図４において、駐車支援制御がスタートする時点で、目標駐車領域測定用センサ２により検出された第１コーナー部Ｃ１及び演算された第２コーナ部Ｃ２の位置データに基づいて、目標駐車領域１４の検出が完了しているものとする。
【００２７】
駐車支援がスタートすると、ステップＳ４０１で、ＥＣＵ５は、既に設定された、駐車余裕領域１６の大きさ及び位置、駐車余裕領域１６内での自車両１０の停止位置、目標駐車位置１４に関する情報（第１及び第２コーナー部の位置、奥行き等）に基づいて、現在の自車両の停止位置から１回動作の経路をＲＯＭ等の記憶手段から読み出す。１回動作の経路は、最小可能半径（ＳＰＲ）で１回の後方移動から構成される。
【００２８】
ステップＳ４０２において、ＥＣＵ５は、障害物等に衝突せずにステップＳ４０１で読み出された前記１回の移動動作から構成される経路により、目標駐車領域１４に駐車可能かを判断する。ステップＳ４０２で駐車可能と判断された場合には、ステップＳ４０３に移行して、前記１回の移動動作から構成される経路にしたがって駐車操舵の支援を開始する。
【００２９】
ステップＳ４０２で前記１回動作の経路で駐車可能と判断されない場合には、ステップＳ４０４に移行する。
【００３０】
ステップＳ４０４において、ＥＣＵ５は、現在の自車両の停止位置から２回動作の経路をＲＯＭ等の記憶手段から読み出す。２回動作の経路は、前方直線又は旋回移動、ＳＰＲにしたがう後方旋回移動から構成される。ステップＳ４０５で、ＥＣＵ５は、障害物等に衝突せずにステップＳ４０４で読み出された前記２回動作の経路により、目標駐車領域１４に駐車可能かを判断する。ステップＳ４０５で駐車可能と判断された場合には、ステップＳ４０６に移行して、前記２回動作の経路にしたがって駐車操舵の支援を開始する。
【００３１】
ステップＳ４０５で前記２回動作の経路で駐車可能と判断されない場合には、ステップＳ４０７に移行する。
【００３２】
ステップＳ４０７において、ＥＣＵ５は、現在の自車両の停止位置から３回動作の経路をＲＯＭ等の記憶手段から読み出す。３回動作の経路は、後方直線又は旋回移動、前方直線又は旋回移動、ＳＰＲにしたがう後方旋回移動から構成される。
【００３３】
ステップＳ４０８で、ＥＣＵ５は、障害物等に衝突せずにステップＳ４０７で読み出された前記３回動作の経路により、目標駐車領域１４に駐車可能かを判断する。ステップＳ４０８で駐車可能と判断された場合には、ステップＳ４０９に移行して、前記３回動作の経路にしたがって駐車操舵の支援を開始する。
【００３４】
ステップＳ４０８で前記３回動作の経路で駐車可能と判断されない場合には、ステップＳ４１０に移行する。ステップＳ４１０において、ＥＣＵ５は駐車操舵不可能と判断して、駐車支援制御を終了する。駐車支援制御の終了は、ＨＭＩによりドライバーに報知されるので、ドライバーは独力でステアリングやアクセルを操作して駐車を行う。
【００３５】
一般に駐車支援動作に必要な時間は、主に移動動作の数に依存する。したがって、本実施形態に係る駐車支援制御装置及び方法は、与えられた状況下で、目標駐車領域１４の中に迅速に駐車することを可能にする経路を見つけるために、次の優先順位を用いる。最優先の移動経路は、ステップＳ４０２に示された１度の後方旋回移動で目標駐車領域１４の中に移動する１回動作の経路を選択することである。この場合には、自車両１０は設定された車両旋回に関する最小可能半径（Ｓｍａｌｌｅｓｔ  Ｐｏｓｓｉｂｌｅ  Ｒａｄｉｕｓ：ＳＰＲ）にしたがう経路で移動されることになる。もし他の障害物と衝突が起こらずに自車両が停止位置から後方旋回可能であれば、常にこの経路が選択される。もしこのような移動可能な経路が見つからなければ、上記のように２回動作の経路で駐車可能かＥＣＵ５によりチェックされ、最後に３回動作の経路で駐車可能かＥＣＵ５によりチェックされる。
【００３６】
なお、ＳＰＲとは、最大にステアリングを切った場合に自車両が旋回可能な半径であり、自車両が旋回可能な最小の半径となる。ＳＰＲは車種によって定まる固有のものである。ＳＰＲを有する円の中心Ｏは、駐車余裕領域１６における自車両１０の停止位置と、目標移動領域１４とによって変動する。上述の１回動作の経路では、ＳＰＲで描かれる円の中心と同心円の円周に沿って自車両が停止位置から移動できるので、１回の後方移動動作で目標駐車領域１４の中に自車両１０を移動することができる。そうでない場合には、２回又は３回の動作を行って、ＳＰＲで描かれる円の円周を車両移動の中心線が載るようにする。移動パターンは、予め複数記憶されており、移動回数が少ないものから順番に駐車可能かを確認する。
【００３７】
ドライバーは、目標駐車領域１４が検知されたときは何時でも、本発明の実施形態に係る駐車支援制御装置を作動させることができる。したがって、この装置は、バック交差駐車やバック斜め駐車といった駐車状態に適用可能である。
【００３８】
本発明の駐車支援制御装置及び方法は、最も早く駐車可能な経路を設定するものであり、これは、最も少ない移動動作を備える経路を意味する。
【００３９】
もし、移動経路が、２回以上の動作から構成されるのであれば、次の追加動作（１）〜（５）を、不適当な目標駐車領域１４を阻止するために用いることができる。なお、不適当な目標駐車領域１４は、ドライバーの誤操作により引き起こされる不適当な停止位置のために生じる場合もある。
（１）自車両１０が停止する前に、ＥＣＵ５において、クロソイド曲線が上記の移動経路に付加されて保持され、ＥＣＵ５はステアリングを中立位置に配置する。停止した後に、移動経路に付加されたクロソイド曲線に基づき、中立位置から自車両１０の移動が開始される。したがって、この移動経路は、的確な停止位置が直線上に位置するときに、的確な停止位置とは独立する。この方法は好ましいものの、もし十分な領域が利用可能である場合にのみ選択可能である。
（２）もし自車両１０が停止した後にできれば残りの移動経路を修正する。
（３）自車両１０が停止した後に新たに移動経路を読み出す。これにより、結果として付加的な移動動作を生じる。
（４）ディスプレイ６やスピーカ７等のＨＭＩを用いて、ドライバーが適切に停車することを準備する。最終的に、ドライバーに前もって減速することを通知する。
（５）もしドライバーが停止位置を超えて運転しているのであれば、ドライバーに移動を元に戻すように指示する。
【００４０】
目標駐車領域１４に向かう後方へ移動するための変形パターンとしては、次の変形パターン（１）〜（３）の何れかを用いることができる。
（１）駐車余裕領域１６で停止した自車両１０が１回の前方直線移動を行い、その後、目標駐車領域１４の中へ直接１回の後方旋回移動を行う。
（２）駐車余裕領域１６で停止した自車両１０が１回の前方旋回移動を行い、その後、目標駐車領域１４の中へ直接１回の後方旋回移動を行う。なお、前記前方旋回移動は、（２ａ）始めに直接前方旋回移動して終了するか、又は（２ｂ）始めに前方直線移動し、次いで前方クロソイド移動に移行し、最後に前方旋回移動を行うこともできる。
（３）駐車余裕領域１６で停止した自車両１０が１回の後方旋回移動を行い、その後、１回の前方旋回移動を行い、最後に目標駐車領域１４の中に後方旋回移動を行う。なお、前記後方旋回移動は、後方旋回移動のみ、又は、後方直線移動を行い、次いでクロソイド後方移動を行い、最後に後方旋回移動を行うようにすることができる。なお、クロソイド移動とは、直線から開始し徐々に旋回していく移動をいう。
【００４１】
このようなパターンを使用することにより、駐車場（目標駐車領域１４及び駐車余裕領域１６）のサイズや停止位置が自車両にとって不十分であったとしても、移動開始位置（停止位置）から目標駐車領域１４の中に進む移動経路を見つけることが可能となる。なお、ＰＳＩモードの場合には、ドライバーがクロソイド曲線に沿って運転することが困難なので、選択可能な移動経路は旋回移動及び直線移動から構成される経路のみに減らされる。
【００４２】
また、目標駐車領域１４の正面に位置し目標駐車領域１４への移動に必要な駐車余裕領域１６の大きさは、主に自車両１０の旋回移動の半径に依存して定まる。半径が小さい程、必要な領域は小さくなる。
【００４３】
本発明と背景技術で引用した特許文献１とは、移動軌跡を設定した後、移動経路と目標駐車領域とが干渉するかを判断する点は共通している。しかしながら、特許文献１に対して、本発明は下記（１）〜（４）のような差異を有する。
（１）本発明の駐車支援制御装置及び方法では、予め複数の駐車経路のパターンを用意しておき、目標駐車領域と干渉しない最良の経路パターンを選択して駐車するものである。これによって、本発明は一々再演算を要せずに駐車経路を選択できるという効果を奏する。
（２）本発明の駐車支援制御装置及び方法では、目標駐車領域への移動に際して、移動動作の数が少ないパターン順（要する時間の少ない順）に、駐車可能かの検討を行う。これによって、本発明は、全体として駐車に要する所要時間を短縮することができる。
（３）本発明は、駐車軌跡パターン毎の評価に、障害物に干渉するか否かの判断を行い、干渉する場合に次の駐車軌跡パターンを評価する。
（４）本発明は、駐車軌跡パターンのバリエーションを多く記憶して提供することにより、より多くの停止位置に対して駐車支援を提供することが可能となる。
【００４４】
本発明の駐車支援制御装置及び方法によれば、任意の開始位置が許容されようなバック交差駐車又はバック斜め駐車のための経路設定を可能にし、できる限り少ない移動動作を用いることにより、最も早く駐車可能な経路を設定することができる。さらに、本発明の駐車支援制御装置及び方法によれば、周囲に関する障害物又は他の情報を考慮に入れることができ、ドライバーの予期せぬ行動に反応して、柔軟に対応する能力を向上できる。
【実施例】
【００４５】
本発明の駐車支援制御装置及び方法に係る実施例として、選択可能な移動パターン（１）〜（５）の構成に関してそれぞれ説明する。以下の説明において、「ｆｗ」は車両の前方移動、「ｂｗ」は車両の後方（バック）移動、「ｃｉｒ」は旋回移動、「ｃｌｏ」はクロソイド曲線に従う移動、「ｓｔｒ」は直線移動を、それぞれ意味する。また、「ｏｐｔ」は任意選択可能なことを意味しており、省くことができる。
（１）第１のパターンでは、自車両１０は、駐車余裕領域１６で、１回前方直線移動を行い、その後、後方移動して目標駐車領域１４の中に入る。具体的な動作は、順にｓｔｒ  ｆｗ−ｃｌｏ  ｂｗ（ｏｐｔ）−ｃｉｒ  ｂｗ−ｃｌｏ  ｂｗ（ｏｐｔ）−ｓｔｒ  ｂｗ  （ｏｐｔ）となる。
（２）第２のパターンでは、自車両１０は、駐車余裕領域１６で、１回前方旋回移動を行い、その後、直接、後方移動して目標駐車領域１４の中に入る。具体的な動作は、順にｃｌｏ  ｆｗ（ｏｐｔ）−ｃｉｒ  ｆｗ−ｃｌｏ  ｆｗ（ｏｐｔ）−ｃｌｏ  ｂｗ（ｏｐｔ）−ｃｉｒ  ｂｗ−ｃｌｏ  ｂｗ（ｏｐｔ）−ｓｔｒ  ｂｗ（ｏｐｔ）となる。
（３）第３のパターンでは、自車両１０は、駐車余裕領域１６で、１回後方旋回移動を行い、その後、前方旋回移動を行い、最後に後方移動して目標駐車領域１４の中に入る。具体的な動作は、順にｃｌｏ  ｂｗ（ｏｐｔ）−ｃｉｒ  ｂｗ−ｃｌｏ  ｂｗ（ｏｐｔ）−ｃｌｏ  ｆｗ（ｏｐｔ）−ｃｉｒ  ｆｗ−ｃｉｒ  ｆｗ−ｃｌｏ  ｂｗ（ｏｐｔ）−ｃｉｒ  ｂｗ−ｃｌｏ  ｂｗ（ｏｐｔ）−ｓｔｒ  ｂｗ（ｏｐｔ）である。
（４）第４のパターンでは、自車両１０は、直接、駐車余裕領域１６で、後退移動して駐車領域の中に入る（従来のシステムで使用されている）。具体的な動作は、順にｓｔｒ  ｂｗ（ｏｐｔ）−ｃｌｏ  ｂｗ（ｏｐｔ）−ｃｉｒ  ｂｗ−ｃｌｏ  ｂｗ（ｏｐｔ）−ｓｔｒ  ｂｗ（ｏｐｔ）である。
（５）第５のパターンでは、自車両１０は、駐車余裕領域１６でＳカーブで前進し、その後、後方移動して目標駐車領域１４の中に入る。この場合に、たとえ、駐車支援制御装置がかなり遅く作動したとしても、操舵は前方移動で開始できるという有利な効果が生じる。具体的な動作は、順にｓｔｒ  ｆｗ（ｏｐｔ）−ｃｌｏ  ｆｗ（ｏｐｔ）−ｃｉｒ  ｆｗ−ｃｌｏ  ｆｗ−ｃｉｒ  ｆｗ−ｃｌｏ  ｆｗ（ｏｐｔ）−ｃｌｏ  ｂｗ（ｏｐｔ）−ｃｉｒ  ｂｗ−ｃｌｏ  ｂｗ（ｏｐｔ）−ｓｔｒ  ｂｗ（ｏｐｔ）である。【００４６】
なお、Ｓカーブ前進における、右から左に又は左から右へのステアリングの複数の変更は、自車両１０の移動を停止して、この停止の間に、ステアリングを切ることで置換されてもよい。【００４７】
上記各パターンに対して、以下の注意点があり、また以下の変形をすることができる。
（ａ）自車両の直線移動に旋回移動が続くような何れの場合にも、自車両は両移動の間で停止しなければならず、ステアリングホイールは停止した間に操舵されなければならない。
（ｂ）自車両の前方旋回移動に後方旋回移動が続くか、又は自車両の後方旋回移動に前方旋回移動が続くような何れの場合にも、自車両は両移動の間で停止しなけらばならず、ステアリングホイールは停止した間に操舵されなければならない。
（ｃ）２つのクロソイド移動の間（１つの後方移動と１つの前方移動との間、又は１つの前方移動と１つの後方移動との間）において、クロソイド移動に直線移動を付加することが可能である。
（ｄ）もし、自車両の移動が前方又は後方クロソイド移動で開始するのであれば、その前に前方又は後方直線移動を付加することも可能である。
（ｅ）もし、自車両の移動が前方又は後方クロソイド移動で終了するのであれば、最後に前方又は後方直線移動を付加することも可能である。
（ｆ）本発明に関する軌道算出アルゴリズムは、ｃｌｏ−ｃｉｒ−ｃｌｏ−ｃｉｒ−…と言う計算パターンで軌道を算出している。もし、最初のｃｌｏ動作終了時に、車が十分旋回しきっていれば、次のｃｌｏ動作はスキップしてもよい。この場合には、形式的には、自車両の複数の移動円の間の距離がゼロになるとみなされることができる。
（ｇ）全ての提供されたパターンにおいて、事前にホイールは、自車両が停止している間に各停止位置における目標角度位置（主に中間位置）に操舵されるが、この代わりに、クロソイド移動を付加して目標角度位置まで操舵することもできる。
（ｈ）もし自車両が目標駐車領域に最終領域で到達できなかった場合は、次のパターンを有する付加的な前方及び後方移動が必要な限り付加される。【００４８】
すなわち、付加パターンは、ｃｌｏ  ｆｗ（ｐｏｔ）−ｃｉｒ  ｆｗ−ｃｌｏ  ｆｗ（ｏｐｔ）−ｃｌｏ  ｂｗ（ｏｐｔ）−ｃｉｒ  ｂｗ−ｃｌｏ  ｂｗ（ｏｐｔ）−ｓｔｒ  ｂｗ（ｏｐｔ）である。
【符号の説明】
【００４９】
１    駐車アシスト用センサ
２    駐車領域測定用センサ
３    ステアリング角度センサ
４ａ  位置特定用スイッチ
４ｂ  情報提供スイッチ
４ｃ  モード選択スイッチ
５    ＥＣＵ
６    ディスプレイ
７    スピーカ
９    ＥＰＳ
１０    自車両
Ｃ１    第１コーナー部
Ｃ２    第２コーナー部（仮想コーナ部）
１４    目標駐車領域
１６    駐車余裕領域
【図１】
2010147020.tif 000003
【図２】
2010147020.tif 000004
【図３】
2010147020.tif 000005
【図４】
2010147020.tif 000006
【国際調査報告】
2010147020.tif 000007
2010147020.tif 000008